(57)【要約】【課題】防水領域内に熱が籠もらないようにして製品寿命が短くならないようにした防水型電気機器を提供すること。【解決手段】第一ケーシング体５と、第二ケーシング体６と、これら第一ケーシング体５と第二ケーシング体６とで挟持される防水パッキン３とを有して構成され、この防水パッキン３を、前記第一ケーシング体５側の第一パッキン９と、前記第二ケーシング体６側の第二パッキン１０とで構成し、これら第一パッキン９と第二パッキン１０とで放熱部材としての放熱板４を挟持すると共に、前記各ケーシング体５，６と各防水パッキン９，１０と放熱板４によって形成される防水領域１１内で、熱源Ｈを前記放熱板４に熱的に当接させることで、熱源Ｈから発生する熱を、前記放熱板４を経由して、前記防水領域１１外に放出し、前記熱源Ｈを冷却することができる。【選択図】図２
2014095777.tif 000002
【特許請求の範囲】
【請求項１】
第一ケーシング体と、第二ケーシング体と、これら第一ケーシング体と第二ケーシング体とで挟持される防水パッキンとを有して構成される防水型電気機器において、
前記防水パッキンを、前記第一ケーシング体側の第一パッキンと、前記第二ケーシング体側の第二パッキンとで構成し、これら第一パッキンと第二パッキンとで放熱部材を挟持すると共に、前記各ケーシング体と各防水パッキンと放熱部材によって形成される防水領域内で熱源が前記放熱部材に熱的に当接することを特徴とする防水型電気機器。
【請求項２】
前記第一パッキン及び第二パッキンの外周縁から前記放熱部材の外周縁を突出させた状態で、この放熱部材を前記第一パッキン及び第二パッキンによって挟持したことを特徴とする請求項１記載の防水型電気機器。
【発明の詳細な説明】
【技術分野】
【０００１】
本発明は、防水型電気機器に関するものである。
【背景技術】
【０００２】
従来、この種の防水型電気機器としては、表ケース（本願発明の第一ケーシング体に相当する）の周縁部と裏ケース（本願発明の第二ケーシング体に相当する）の周縁部との間に、枠状のゴムパッキンからなる防水シール（本願発明の防水パッキン）が介装されたテレビジョン受像機付きリモートコントローラが知られている（例えば、特許文献１参照。）。また、外装ケース（本願発明の第一ケーシング体に相当する）とケース裏蓋（本願発明の第二ケーシング体に相当する）との接合部に防水パッキンを挟持させたお風呂テレビも知られている（例えば、特許文献２参照。）。
【先行技術文献】
【特許文献】
【０００３】
【特許文献１】特許第３２６５９２５号公報
【特許文献２】実開昭６３−１５６１７４号公報
【発明の概要】
【発明が解決しようとする課題】
【０００４】
しかしながら、このような防水型電気機器は、第一ケーシング体と第二ケーシング体と防水パッキンとで囲まれる防水領域の内外で空気の流通がないため、この防水領域内に熱源があると、防水領域内に熱が籠もってしまい、製品寿命を短くしてしまう虞があった。これは、発熱量の大きな半導体素子が実装された回路基板が熱源である場合等に、問題となる可能性が高かった。この問題を解決するために、第一ケーシング体と第二ケーシング体の少なくとも一方を、熱良導性の金属で構成することも考えられる。しかしながら、金属材は、成型性やコストの面で合成樹脂に及ばないという問題もある。
【０００５】
本発明は以上の問題点を解決し、防水領域内に熱が籠もらないようにして製品寿命が短くならないようにした防水型電気機器を提供することを目的とする。
【課題を解決するための手段】
【０００６】
本発明の請求項１に記載の防水型電気機器は、第一ケーシング体と、第二ケーシング体と、これら第一ケーシング体と第二ケーシング体とで挟持される防水パッキンとを有して構成される防水型電気機器において、前記防水パッキンを、前記第一ケーシング体側の第一パッキンと、前記第二ケーシング体側の第二パッキンとで構成し、これら第一パッキンと第二パッキンとで放熱部材を挟持すると共に、前記各ケーシング体と各防水パッキンによって形成される防水領域内で熱源が前記放熱部材に熱的に当接するものである。
【０００７】
また、本発明の請求項２に記載の防水型電気機器は、請求項１において、前記放熱部材の外周縁が、前記第一パッキン及び第二パッキンの外周縁から突出した状態で、前記第一パッキンと第二パッキンによって前記放熱部材が挟持されるものである。
【発明の効果】
【０００８】
本発明の請求項１に記載の防水型電気機器は、以上のように構成することにより、前記第一ケーシング体と前記放熱部材との間を、前記第一パッキンによって防水することができると共に、前記第二ケーシング体と前記放熱部材との間を、前記第二パッキンによって防水することができる。そして、前記防水領域内の熱源から発生する熱を、前記放熱部材を経由して、前記防水領域外に放出し、前記熱源を冷却することができる。
【０００９】
なお、前記第一パッキン及び第二パッキンの外周縁から前記放熱部材の外周縁を突出させた状態で、この放熱部材を前記第一パッキン及び第二パッキンによって挟持すれば、前記防水領域外における放熱面積を大きくすることができるので、前記熱源の冷却効率を向上させることができる。
【図面の簡単な説明】
【００１０】
【図１】本発明の第一の実施形態を示す防水型電気機器の分解斜視図である。
【図２】同、断面図である。
【図３】本発明の第二の実施形態を示す防水型電気機器の断面図である。
【図４】本発明の第三の実施形態を示す防水型電気機器の断面図である。
【図５】同、放熱気流を示す説明図である。
【図６】防水型電気機器の一例としての情報端末或いは映像機器の断面図である
【図７】防水型電気機器の一例としての照明装置の断面図である。
【発明を実施するための形態】
【００１１】
以下、本発明の第一の実施形態について、図１及び図２に基づいて説明する。１は本発明の防水型電気機器である。この防水型電気機器１は、ケーシング２と、防水パッキン３と、放熱部材としての放熱板４と、熱源Ｈとを有して構成される。なお、ここで言う熱源Ｈとは、熱を発生させること自体が目的となる要素（例えばヒータ）ではなく、使用することによって不要な熱が発生してしまう要素である。更に述べると、本発明で言う熱源Ｈとは、冷却が必要な要素である。具体的には、本発明で言う熱源Ｈとは、例えば、ＬＳＩやＬＥＤ等の半導体素子を指す。
【００１２】
前記ケーシング２は、第一ケーシング体５と第二ケーシング体６とを有して構成される。そして、前記第一ケーシング体５は、環状の縁部７を有する。また、前記第二ケーシング体６も、環状の縁部８を有する。そして、前記縁部７と縁部８は、前記防水パッキン３と放熱板４を挟んで正対するように構成される。また、前記防水パッキン３は、前記第一ケーシング体５側の第一パッキン９と、前記第二ケーシング体６側の第二パッキン１０とを有して構成される。前記第一パッキン９は、環状に形成され、前記第一ケーシング体５の縁部７に当接する。一方、前記第二パッキン１０は、環状に形成され、前記第二ケーシング体６の縁部８に当接する。従って、前記第一パッキン９と第二パッキン１０は、前記放熱板４を挟んで正対する。更に、この放熱板４は、アルミニウム等、熱伝導率の高い金属によって構成される。そして、前記第一ケーシング体５の縁部７と前記放熱板４とで前記第一パッキン９を挟持すると共に、前記第二ケーシング体６の縁部８と前記放熱板４とで前記第二パッキン１０を挟持した状態で、前記第一ケーシング体５と第二ケーシング体６とを図示しない結合手段（例えばビス等）によって結合させることで、前記各パッキン９，１０を前記各縁部７，８及び放熱板４に密着させる。このように構成することで、前記ケーシング２と防水パッキン３と放熱板４とで囲まれる領域が防水領域１１となる。なお、前記放熱板４は、前記防水領域１１内に突出する受熱部１２を有する。そして、この受熱部１２は、前記防水領域１１内の熱源Ｈと熱的に接触する。また、前記放熱板４の外周部は放熱部１３となる。なお、図１及び図２において、前記放熱板４の受熱部１２に孔１４が形成される。この孔１４は、前記放熱板４の両側に設けられる電気的要素同士を接続するために設けられるものである。従って、前記放熱板４の片側にのみ熱源Ｈ等の電気的要素が設けられる場合、前記孔１４は不要となる。
【００１３】
次に、本実施形態の作用について説明する。前述した通り、前記第一パッキン９が前記第一ケーシング体５と放熱板４に密着し、前記第二パッキン１０が前記第二ケーシング体６と放熱板４に密着することで、前記防水領域１１の内外において空気及び水の流通が遮断される。このため、水が掛かる環境に前記防水型電気機器１を置いても、この防水型電気機器１の防水領域１１内に水が侵入することが防止される。
【００１４】
なお、前記防水型電気機器１を作動させると、この作動に伴って、熱源Ｈから熱が排出される。前述した通り、前記防水領域１１の内外において、空気の流通が遮断されているので、熱源Ｈから排出される熱を空中に放出すると、前記防水領域１１内に熱が籠もることになる。しかしながら、前記放熱板４の受熱部１２に熱源Ｈが熱的に接触しているので、この熱源Ｈから排出される熱を前記放熱板４に伝導させ、この熱を前記放熱板４の放熱部１３から外気に放出することができる。従って、前記防水型電気機器１は、前記防水領域１１内への水の侵入を防止しながら、熱源Ｈが発生させる熱を前記防水型電気機器１外に排出することで、熱源Ｈを冷却することができる。そして、これによって、熱源Ｈに対する熱の影響を軽減して、製品寿命が短くなってしまうのを防止することができる。
【００１５】
以上のように本発明の防水型電気機器１は、第一ケーシング体５と、第二ケーシング体６と、これら第一ケーシング体５と第二ケーシング体６とで挟持される防水パッキン３とを有して構成され、前記防水パッキン３を、前記第一ケーシング体５側の第一パッキン９と、前記第二ケーシング体６側の第二パッキン１０とで構成し、これら第一パッキン９と第二パッキン１０とで放熱部材としての放熱板４を挟持すると共に、前記各ケーシング体５，６と各防水パッキン９，１０と放熱板４によって形成される防水領域１１内で、熱源Ｈが前記放熱板４に熱的に当接するので、前記防水領域１１内の熱源Ｈから発生する熱を、前記放熱板４を経由して、前記防水領域１１外に放出し、前記熱源Ｈを冷却することができるものである。
【００１６】
次に、本発明の第二の実施形態について、図３に基づいて説明する。２１は本発明の防水型電気機器である。この防水型電気機器２１は、ケーシング２２と、防水パッキン２３と、放熱部材２４と、熱源Ｈとを有して構成される。なお、ここで言う熱源Ｈとは、第一の実施形態と同様である。
【００１７】
前記ケーシング２２は、第一ケーシング体２５と第二ケーシング体２６とを有して構成される。そして、前記第一ケーシング体２５は、環状の縁部２７を有する。また、前記第二ケーシング体２６も、環状の縁部２８を有する。そして、前記縁部２７と縁部２８は、前記防水パッキン２３と放熱部材２４を挟んで正対するように構成される。また、前記防水パッキン２３は、前記第一ケーシング体２５側の第一パッキン２９と、前記第二ケーシング体２６側の第二パッキン３０とを有して構成される。前記第一パッキン２９は、環状に形成され、前記第一ケーシング体２５の縁部２７に当接する。一方、前記第二パッキン３０は、環状に形成され、前記第二ケーシング体２６の縁部２８に当接する。従って、前記第一パッキン２９と第二パッキン３０は、前記放熱部材２４を挟んで正対する。更に、この放熱部材２４は、アルミニウム等、熱伝導率の高い金属によって構成される。そして、前記第一ケーシング体２５の縁部２７と前記放熱部材２４とで前記第一パッキン２９を挟持すると共に、前記第二ケーシング体２６の縁部２８と前記放熱部材２４とで前記第二パッキン３０を挟持した状態で、前記第一ケーシング体２５と第二ケーシング体２６とを図示しない結合手段（例えばビス等）によって結合させることで、前記各パッキン２９，３０を前記各縁部２７，２８及び放熱部材２４に密着させる。このように構成することで、前記ケーシング２２と防水パッキン２３と放熱部材２４とで囲まれる領域が防水領域３１となる。なお、前記放熱部材２４は、前記防水領域３１内に突出する板状の受熱部３２を有する。そして、この受熱部３２は、前記防水領域３１内の熱源Ｈと熱的に接触する。また、前記放熱部材２４の外周部は放熱部３３となる。この放熱部３３は環状に形成されており、前記第一パッキン２９及び第二パッキン３０の外周縁よりも外側に突出すると共に、前記第一ケーシング体２５と第二ケーシング体２６の外周側を覆うように構成される。なお、図３において、前記放熱部材２４の受熱部３２に孔３４が形成される。この孔３４は、前記放熱部材２４の両側に設けられる電気的要素同士を接続するために設けられるものである。従って、前記放熱部材２４の片側にのみ熱源Ｈ等の電気的要素が設けられる場合、前記孔３４は必ずしも必要ではない。
【００１８】
次に、本実施形態の作用について説明する。前述した通り、前記第一パッキン２９が前記第一ケーシング体２５と放熱部材２４に密着し、前記第二パッキン３０が前記第二ケーシング体２６と放熱部材２４に密着することで、前記防水領域３１の内外において空気及び水の流通が遮断される。このため、水が掛かる環境に前記防水型電気機器２１を置いても、この防水型電気機器２１の防水領域３１内に水が侵入することが防止される。
【００１９】
なお、前記防水型電気機器２１を作動させると、この作動に伴って、熱源Ｈから熱が排出される。前述した通り、前記防水領域３１の内外において、空気の流通が遮断されているので、熱源Ｈから排出される熱を空中に放出すると、前記防水領域３１内に熱が籠もることになる。しかしながら、前記放熱部材２４の受熱部３２に熱源Ｈが熱的に接触しているので、この熱源Ｈから排出される熱を前記放熱部材２４に伝導させ、この熱を前記放熱部材２４の放熱部３３から外気に放出することができる。従って、前記防水型電気機器２１は、前記防水領域３１内への水の侵入を防止しながら、熱源Ｈが発生させる熱を前記防水型電気機器２１外に排出することで、熱源Ｈを冷却することができる。そして、これによって、熱源Ｈに対する熱の影響を軽減して、製品寿命が短くなってしまうのを防止することができる。更に、前述したように、前記放熱部材２４の放熱部３３が、前記第一パッキン２９及び第二パッキン３０の外周縁よりも外側に突出して、前記両ケーシング体２５，２６の外周側を覆うように構成されることで、放熱面積が大きくされる。このため、熱源Ｈから伝導した熱を前記放熱部３３から効率的に外気に放出することができる。
【００２０】
以上のように本発明の防水型電気機器２１は、第一ケーシング体２５と、第二ケーシング体２６と、これら第一ケーシング体２５と第二ケーシング体２６とで挟持される防水パッキン２３とを有して構成され、前記防水パッキン２３を、前記第一ケーシング体２５側の第一パッキン２９と、前記第二ケーシング体２６側の第二パッキン３０とで構成し、これら第一パッキン２９と第二パッキン３０とで放熱部材２４を挟持すると共に、前記各ケーシング体２５，２６と各防水パッキン２９，３０と放熱部材２４によって形成される防水領域３１内で、熱源Ｈが前記放熱部材２４に熱的に当接するので、前記防水領域３１内の熱源Ｈから発生する熱を、前記放熱部材２４を経由して、前記防水領域３１外に放出し、前記熱源Ｈを冷却することができるものである。
【００２１】
また、本発明の防水型電気機器２１は、前記第一パッキン２９及び第二パッキン３０の外周縁から前記放熱部材２４の外周縁となる放熱部３３を突出させた状態で、前記放熱部材２４を前記第一パッキン２９及び第二パッキン３０によって挟持することで、前記防水領域３１外における放熱面積を大きくすることができるので、前記熱源Ｈの冷却効率を向上させることができるものである。
【００２２】
次に、本発明の第三の実施形態について、図４及び図５に基づいて説明する。４１は本発明の防水型電気機器である。この防水型電気機器４１は、ケーシング４２と、防水パッキン４３と、放熱部材としての放熱板４４と、熱源Ｈとを有して構成される。なお、ここで言う熱源Ｈとは、上記各実施形態と同様である。
【００２３】
前記ケーシング４２は、第一ケーシング体４５と第二ケーシング体４６とを有して構成される。そして、前記第一ケーシング体４５は、環状リブ４７と、この環状リブ４７の外側を覆うように構成される覆部４８とを有する。更に、前記覆部４８の外縁部には、複数の切欠部４９が形成される。また、前記第二ケーシング体４６も、環状リブ５０と、この環状リブ５０の外側を覆うように構成される覆部５１とを有する。更に、前記覆部５１の外縁部には、複数の切欠部５２が形成される。そして、前記環状リブ４７と環状リブ５０は、前記防水パッキン４３と放熱板４４を挟んで正対するように構成される。そして、前記第一ケーシング体４５の覆部４８の外縁部は、前記第二ケーシング体４６の覆部５１の外縁部と正対する。この際、前記第一ケーシング体４５の覆部４８に形成された切欠部４９と、前記第二ケーシング体４６の覆部５１に形成された切欠部５２も正対する。また、前記防水パッキン４３は、前記第一ケーシング体４５側の第一パッキン５３と、前記第二ケーシング体４６側の第二パッキン５４とを有して構成される。前記第一パッキン５３は、環状に形成され、前記第一ケーシング体４５の環状リブ４７に当接する。一方、前記第二パッキン５４は、環状に形成され、前記第二ケーシング体４６の環状リブ５０に当接する。従って、前記第一パッキン５３と第二パッキン５４は、前記放熱板４４を挟んで正対する。更に、この放熱板４４は、アルミニウム等、熱伝導率の高い金属によって構成される。そして、前記第一ケーシング体４５の環状リブ４７と前記放熱板４４とで前記第一パッキン５３を挟持すると共に、前記第二ケーシング体４６の環状リブ５０と前記放熱板４４とで前記第二パッキン５４を挟持した状態で、前記第一ケーシング体４５と第二ケーシング体４６とを図示しない結合手段（例えばビス等）によって結合させることで、前記各パッキン５３，５４を前記各環状リブ４７，５０及び放熱板４４に密着させる。このように構成することで、前記ケーシング４２と防水パッキン４３と放熱板４４とで囲まれる領域が防水領域５５となる。また、前記各環状リブ４７，５０と各覆部４８，５１と防水パッキン４３と放熱板４４とで囲まれる領域が流通空間５６となる。そして、前記各切欠部４９，５２によって、前記流通空間５６内と外気とを連通させる複数の連通孔５７が形成される。なお、これらの連通孔５７は、前記ケーシング４２の全周に形成される。また、前記放熱板４４は、前記防水領域５５内に突出する板状の受熱部５８を有する。そして、この受熱部５８は、前記防水領域５５内の熱源Ｈと熱的に接触する。また、前記放熱板４４の外周部は放熱部５９となる。この放熱部５９は、前記第一パッキン５３及び第二パッキン５４の外周縁よりも外側、即ち前記流通空間５６内に突出する。なお、図４及び図５において、前記放熱板４４の受熱部５８に孔６０が形成される。この孔６０は、前記放熱板４４の両側に設けられる電気的要素同士を接続するために設けられるものである。従って、前記放熱板４４の片側にのみ熱源Ｈ等の電気的要素が設けられる場合、前記孔６０は必ずしも必要ではない。
【００２４】
次に、本実施形態の作用について説明する。前述した通り、前記第一パッキン５３が前記第一ケーシング体４５と放熱板４４に密着し、前記第二パッキン５４が前記第二ケーシング体４６と放熱板４４に密着することで、前記防水領域５５の内外において空気及び水の流通が遮断される。このため、水が掛かる環境に前記防水型電気機器４１を置いても、この防水型電気機器４１の防水領域５５内に水が侵入することが防止される。
【００２５】
なお、前記防水型電気機器４１を作動させると、この作動に伴って、熱源Ｈから熱が排出される。前述した通り、前記防水領域５５の内外において、空気の流通が遮断されているので、熱源Ｈから排出される熱を空中に放出すると、前記防水領域５５内に熱が籠もることになる。しかしながら、前記放熱板４４の受熱部５８に熱源Ｈが熱的に接触しているので、この熱源Ｈから排出される熱を前記放熱板４４に伝導させ、この熱を前記放熱板４４の放熱部５９から前記流通空間５６内の空気に放出することができる。なお、前述した通り、前記流通空間５６は、複数の前記連通孔５７によって外気と連通している。このため、図５に示すように、前記流通空間５６において、下部の前記連通孔５７から外気が流入し、前記放熱部５９から熱を奪って上昇した後、上部の前記連通孔５７から外気に放出されるという気流Ｆが生じる。従って、前記防水型電気機器４１は、前記防水領域５５内への水の侵入を防止しながら、熱源Ｈが発生させる熱を前記防水型電気機器４１外に排出することで、熱源Ｈを冷却することができる。そして、これによって、熱源Ｈに対する熱の影響を軽減して、製品寿命が短くなってしまうのを防止することができる。また、前述したように、前記放熱板４４の放熱部５９が、前記両ケーシング体４５，４６の環状リブ４７，５０、及び前記両パッキン５３，５４の外周縁よりも外側に突出するように構成されることで、放熱面積が大きくされる。このため、熱源Ｈから伝導した熱を前記放熱部５９から効率的に外気に放出することができる。更に、前記両ケーシング体４５，４６の各覆部４８，５１によって前記放熱部５９が覆われることで、仮に前記放熱部５９が熱くなっても、この放熱部に使用者が触れないようにすることができる。また、前記熱源Ｈが静電気に弱い半導体素子である場合でも、使用者が帯びる静電気が、前記放熱板４４から熱源Ｈとしての半導体素子に伝わらないようにすることができる。
【００２６】
以上のように本発明の防水型電気機器４１は、第一ケーシング体４５と、第二ケーシング体４６と、これら第一ケーシング体４５と第二ケーシング体４６とで挟持される防水パッキン４３とを有して構成され、前記防水パッキン４３を、前記第一ケーシング体４５側の第一パッキン５３と、前記第二ケーシング体４６側の第二パッキン５４とで構成し、これら第一パッキン５３と第二パッキン５４とで放熱部材としての放熱板４４を挟持すると共に、前記各ケーシング体４５，４６と各防水パッキン５３，５４と放熱板４４によって形成される防水領域５５内で、熱源Ｈが前記放熱板４４に熱的に当接するので、前記防水領域５５内の熱源Ｈから発生する熱を、前記放熱板４４を経由して、前記防水領域５５外に放出し、前記熱源Ｈを冷却することができるものである。
【００２７】
また、本発明の防水型電気機器４１は、前記第一パッキン５３及び第二パッキン５４の外周縁から前記放熱板４４の外周縁となる放熱部５９を突出させた状態で、前記放熱板４４を前記第一パッキン５３及び第二パッキン５４によって挟持することで、前記防水領域５５外における放熱面積を大きくすることができるので、前記熱源Ｈの冷却効率を向上させることができるものである。
【００２８】
次に、第一の実施形態をベースにした本発明の防水型電気機器の例を、図６を用いて説明する。６１は携帯型の情報端末或いは映像機器（以下、単に映像機器と記載する）である。この映像機器６１は、ケーシング２Ａと、防水パッキン３Ａと、放熱部材としての放熱板４Ａと、液晶表示ユニット等の映像ユニット６２と、熱源ＨとしてのＬＳＩ６３が実装された電子回路基板６４とを有して構成される。なお、図６では、前記電子回路基板６４における前記ＬＳＩ６３以外の電子部品の記載を省略したが、実際には、他の電子部品も実装される。
【００２９】
前記ケーシング２Ａは、第一ケーシング体５Ａと第二ケーシング体６Ａとを有して構成される。そして、前記第一ケーシング体５Ａは、環状の縁部７Ａを有する。また、前記第二ケーシング体６Ａも、環状の縁部８Ａを有する。そして、前記縁部７Ａと縁部８Ａは、前記防水パッキン３Ａと放熱板４Ａを挟んで正対するように構成される。また、前記防水パッキン３Ａは、前記第一ケーシング体５Ａ側の第一パッキン９Ａと、前記第二ケーシング体６Ａ側の第二パッキン１０Ａとを有して構成される。前記第一パッキン９Ａは、環状に形成され、前記第一ケーシング体５Ａの縁部７Ａに当接する。一方、前記第二パッキン１０Ａは、環状に形成され、前記第二ケーシング体６Ａの縁部８Ａに当接する。従って、前記第一パッキン９Ａと第二パッキン１０Ａは、前記放熱板４Ａを挟んで正対する。更に、この放熱板４Ａは、アルミニウム等、熱伝導率の高い金属によって構成される。そして、前記第一ケーシング体５Ａの縁部７Ａと前記放熱板４Ａとで前記第一パッキン９Ａを挟持すると共に、前記第二ケーシング体６Ａの縁部８Ａと前記放熱板４Ａとで前記第二パッキン１０Ａを挟持した状態で、前記第一ケーシング体５Ａと第二ケーシング体６Ａとを図示しない結合手段（例えばビス等）によって結合させることで、前記各パッキン９Ａ，１０Ａを前記各縁部７Ａ，８Ａ及び放熱板４Ａに密着させる。このように構成することで、前記ケーシング２Ａと防水パッキン３Ａと放熱板４Ａとで囲まれる領域が防水領域１１Ａとなる。なお、前記放熱板４Ａは、前記防水領域１１Ａ内に突出する受熱部１２Ａを有する。そして、この受熱部１２Ａは、伝熱シート６５を介して、前記ＬＳＩ６３と熱的に接触する。また、前記放熱板４Ａの外周部は放熱部１３Ａとなる。なお、前記放熱板４Ａの受熱部１２Ａには、配線用の孔１４Ａが形成される。
【００３０】
なお、前記第一ケーシング体５Ａは、透明な合成樹脂で構成される。また、前記映像ユニット６２は、前記第一ケーシング体５Ａと放熱板４Ａとの間に設けられる。そして、前記第一ケーシング体５Ａの外周部分には、内部を見せないようにするための飾り枠を設けても良い。これによって、前記映像ユニット６２が表示する画像は、前記第一ケーシング体５Ａを通して見ることができる。一方、前記電子回路基板６４は、前記第二ケーシング体６Ａと放熱板４Ａとの間に設けられる。そして、前述したように、前記ＬＳＩ６３が、前記伝熱シート６５を介して、前記受熱部１２Ａと熱的に接触するので、前記ＬＳＩ６３が発生させた熱は、前記伝熱シート６５及び放熱板４Ａを介して、前記放熱部１３Ａから外気に放出される。これによって、前記ＬＳＩ６３が冷却される。そして、前記映像ユニット６２と電子回路基板６４は、前記放熱板４Ａの孔１４Ａを介して配線される。
【００３１】
次に、第一の実施形態をベースにした本発明の防水型電気機器の他の例を、図７を用いて説明する。８１は携帯型の照明装置である。この照明装置８１は、ケーシング２Ｂと、防水パッキン３Ｂと、放熱部材としての放熱板４Ｂと、熱源ＨとしてのＬＥＤ８２が複数実装された回路基板８３とを有して構成される。なお、前記ＬＥＤ８２を点灯させるための回路は、前記回路基板８３上に設けても、図示しない他の回路基板上に設けても良い。
【００３２】
前記ケーシング２Ｂは、第一ケーシング体５Ｂと第二ケーシング体６Ｂとを有して構成される。そして、前記第一ケーシング体５Ｂは、環状の縁部７Ｂを有する。また、前記第二ケーシング体６Ｂも、環状の縁部８Ｂを有する。そして、前記縁部７Ｂと縁部８Ｂは、前記防水パッキン３Ｂと放熱板４Ｂを挟んで正対するように構成される。また、前記防水パッキン３Ｂは、前記第一ケーシング体５Ｂ側の第一パッキン９Ｂと、前記第二ケーシング体６Ｂ側の第二パッキン１０Ｂとを有して構成される。前記第一パッキン９Ｂは、環状に形成され、前記第一ケーシング体５Ｂの縁部７Ｂに当接する。一方、前記第二パッキン１０Ｂは、環状に形成され、前記第二ケーシング体６Ｂの縁部８Ｂに当接する。従って、前記第一パッキン９Ｂと第二パッキン１０Ｂは、前記放熱板４Ｂを挟んで正対する。更に、この放熱板４Ｂは、アルミニウム等、熱伝導率の高い金属によって構成される。そして、前記第一ケーシング体５Ｂの縁部７Ｂと前記放熱板４Ｂとで前記第一パッキン９Ｂを挟持すると共に、前記第二ケーシング体６Ｂの縁部８Ｂと前記放熱板４Ｂとで前記第二パッキン１０Ｂを挟持した状態で、前記第一ケーシング体５Ｂと第二ケーシング体６Ｂとを図示しない結合手段（例えばビス等）によって結合させることで、前記各パッキン９Ｂ，１０Ｂを前記各縁部７Ｂ，８Ｂ及び放熱板４Ｂに密着させる。このように構成することで、前記ケーシング２Ｂと防水パッキン３Ｂと放熱板４Ｂとで囲まれる領域が防水領域１１Ｂとなる。なお、前記放熱板４Ｂは、前記防水領域１１Ｂ内に突出する受熱部１２Ｂを有する。そして、この受熱部１２Ｂは、複数の前記ＬＥＤ８２が実装された回路基板８３と熱的に接触する。また、前記放熱板４Ｂの外周部は放熱部１３Ｂとなる。なお、前記放熱板４Ｂの受熱部１２Ｂには、配線用の孔１４Ｂが形成される。
【００３３】
なお、前記第一ケーシング体５Ｂは、透光性を有する合成樹脂で構成される。また、前記回路基板８３は、前記放熱板４Ｂの前記第一ケーシング体５Ｂ側に設けられる。そして、前記前記第一ケーシング体５Ｂには、前記ＬＥＤ８２に対応して、レンズ等の配光部を設けても良い。また、前記第一ケーシング体５Ｂを半透明とし、前記ＬＥＤ８２が放射した光を拡散するようにしても良い。これによって、前記ＬＥＤ８２から放射された光が、所定の配光性で、前記第一ケーシング体５Ｂ側から放出される。そして、前述したように、前記ＬＥＤ８２が実装された前記回路基板８３が、前記受熱部１２Ｂと熱的に接触するので、前記ＬＥＤ８２が発生させた熱は、前記放熱板４Ｂを介して、前記放熱部１３Ｂから外気に放出される。これによって、前記ＬＥＤ８２が冷却される。
【００３４】
なお、本発明は以上の実施形態に限定されるものではなく発明の要旨の範囲内で種々の変形実施が可能である。例えば、上記各実施形態では、ケーシングの形状を全体として平らな箱形のものとしたが、要は、放熱部材をパッキンで挟持し、更にこれらのパッキンをケーシングで挟持することができるのであれば、他の形状に形成しても良い。また、第一及び第三の実施形態では、放熱板を平板状に形成したが、水密性が保たれ、且つ、熱源との接触性が保たれるのであれば、平板状でなくても良い。更に、防水型電気機器の一例としての映像機器において、第一ケーシング体５Ａ自体を透明な合成樹脂で構成し、この第一ケーシング体５Ａを通して映像ユニット６２を視認できるようにしたが、第一ケーシング体を窓孔の開いた不透明な材質で構成し、この窓孔に透明な窓板を防水状態で設けても良い。
【産業上の利用可能性】
【００３５】
上記防水型電気機器の一例として、携帯型情報端末、携帯型映像機器、携帯型照明装置等を示したが、これ以外でも、防水性と放熱性が求められる電気機器において採用することができる。
【符号の説明】
【００３６】
１，２１，４１  防水型電気機器
２，２Ａ，２Ｂ，２２，４２  ケーシング
３，３Ａ，３Ｂ，２３，４３  防水パッキン
４，４Ａ，４Ｂ，４４  放熱板（放熱部材）
５，５Ａ，５Ｂ，２５，４５  第一ケーシング体
６，６Ａ，６Ｂ，２６，４６  第二ケーシング体
９，９Ａ，９Ｂ，２９，５３  第一パッキン
１０，１０Ａ，１０Ｂ，３０，５４  第二パッキン
１１，１１Ａ，１１Ｂ，３１，５５  防水領域
１３，１３Ａ，１３Ｂ，３３，５９  放熱部（放熱部材の外周縁）
２４  放熱部材
６１  携帯型の情報端末或いは映像機器（防水型電気機器）
６３  ＬＳＩ（熱源）
８１  携帯型の照明装置
８２  ＬＥＤ（熱源）
Ｆ  気流
Ｈ  熱源
【図１】
2014095777.tif 000003
【図２】
2014095777.tif 000004
【図３】
2014095777.tif 000005
【図４】
2014095777.tif 000006
【図５】
2014095777.tif 000007
【図６】
2014095777.tif 000008
【図７】
2014095777.tif 000009